(57)【要約】【課題】電源スイッチがオフ状態であっても画像記録媒体や他のアクセサリが使用可能な状態にあるか否かがわかるようにし、使用不能なものを使用可能と誤認することを防止する。【解決手段】電源スイッチのオフ時にカメラにメモリカードを装填すると、そのメモリカードが使用可能な状態にあるか否かが判定され、使用不能状態にある場合（例えば、壊れている場合）に警告表示が行われる。警告表示は、画像表示用の液晶モニタに文章で表示される。所定時間が経過すると、警告表示は自動的に解除される。【選択図】図８
2008118336.tif 000002
【特許請求の範囲】
【請求項１】
撮像によって画像データを生成する撮像装置と、生成された画像データを着脱可能な記録媒体に記録する記録装置と、前記画像データに基づく画像を表示可能な表示装置とを備えた撮像装置であって、
電源スイッチのオフ時に前記記録媒体が装填されたことが検出されると、該記録媒体が使用可能な状態にあるか否かを判定し、使用不能状態にある場合に前記表示装置に警告表示を行うことを特徴とする撮像装置。
【請求項２】
前記警告表示の開始後、所定時間が経過すると該警告表示を解除することを特徴とする請求項１に記載の撮像装置。
【請求項３】
電源スイッチオフ時で前記記録媒体が使用可能な状態にあると判定された場合は、当該記録媒体の使用状況を前記表示装置に表示することを特徴とする請求項１または２に記載の撮像装置。
【請求項４】
前記警告表示は、文字を用いた文章で表示することを特徴とする請求項１〜３のいずれか１項に記載の撮像装置。
【請求項５】
前記表示装置は照度が可変とされ、前記警告表示は所定値以上の照度で行うことを特徴とする請求項１〜４のいずれか１項に記載の撮像装置。
【請求項６】
画像データに基づく画像を表示可能な表示装置を備え、アクセサリが着脱可能な携帯機器であって、
電源スイッチのオフ時に前記アクセサリが装着されたことが検出されると、該アクセサリが使用可能な状態にあるか否かを判定し、使用不能状態にある場合に前記表示装置に警告表示を行うことを特徴とする携帯機器。
【発明の詳細な説明】
【技術分野】
【０００１】
本発明は、撮像装置および携帯機器に関し、装填された画像記録媒体や他のアクセサリが使用不能な場合に警告を行うものである。
【背景技術】
【０００２】
メモリカードに撮影画像を記録するデジタルカメラは、装填されたメモリカードの空き容量を検出し、撮影（記録）可能駒数を求めて液晶パネル等に表示することができる。特に特許文献１に記載のカメラは、たとえ電源スイッチがオフ状態であっても、メモリカードの装填に伴って撮影可能駒数の表示が可能である。これによれば、単に撮影可能駒数の確認のみを行う場合にいちいち電源スイッチをオン操作せずに済む。
【０００３】
【特許文献１】特開２００３−３０４４８２号公報
【発明の開示】
【発明が解決しようとする課題】
【０００４】
しかしながら、引用文献１のカメラは、電源スイッチオフ時にメモリカードを装填したとき、そのメモリカードが使用不能な状態であってもその旨の警告までは行わない。このため、使用不能なメモリカードをそれと知らずにカメラに装填したまま撮影に出かけ、現地で撮影できないというケースがあり得る。
【課題を解決するための手段】
【０００５】
本発明に係る撮像装置は、撮像によって画像データを生成する撮像装置と、生成された画像データを着脱可能な記録媒体に記録する記録装置と、画像データに基づく画像を表示可能な表示装置とを備えるものであって、電源スイッチのオフ時に記録媒体が装填されたことが検出されると、記録媒体が使用可能な状態にあるか否かを判定し、使用不能状態にある場合に上記表示装置に警告表示を行うことを特徴とする。
警告表示の開始後、所定時間が経過すると警告表示を自動的に解除するようにしてもよい。
電源スイッチオフ時で記録媒体が使用可能な状態にあると判定された場合は、当該記録媒体の使用状況を表示装置に表示するようにしてもよい。
警告表示は、文字を用いた文章で表示するようにしてもよい。
照度が可変の表示装置を用いる場合は、警告表示は所定値以上の照度で行うようにしてもよい。
本発明に係る携帯機器は、画像データに基づく画像を表示可能な表示装置を備え、アクセサリが着脱可能なものであって、電源スイッチのオフ時にアクセサリが装着されたことが検出されると、そのアクセサリが使用可能な状態にあるか否かを判定し、使用不能状態にある場合に表示装置に警告表示を行うことを特徴とする。
【発明の効果】
【０００６】
本発明によれば、電源スイッチがオフ状態であっても画像記録媒体や他のアクセサリが使用可能な状態にあるか否かがわかり、使用不能なものを使用可能と誤認することがなくなる。
【発明を実施するための最良の形態】
【０００７】
図１〜図８により本発明の一実施の形態を説明する。
図１，図２は本実施形態における一眼レフタイプのデジタルカメラの平面図および背面図である。カメラの背面には、大型のカラー液晶モニタ１が設けられ、ここに画像や種々の情報を表示することができる。
【０００８】
ここで、従来カメラでは、背面の液晶モニタ１の他に上面に液晶パネルを設け、その液晶パネルに設定モードや撮影情報、各種警告などを絵柄で表示（セグメント表示）するのが一般的である。本実施形態のカメラは、図１に示すように上面の液晶パネルを廃し、そこに表示していた情報を背面の液晶モニタ１に表示することで、カメラの小型化および低コスト化を図っている。
【０００９】
図３は本実施形態のカメラの制御ブロック図である。
カメラは、電源制御用のサブＣＰＵ１１と、カメラシーケンス用のメインＣＰＵ１２とを有し、両者は互いに通信が可能とされる。サブＣＰＵ１１には、操作部材としてレリーズスイッチ１３、電源スイッチ１４、および各種設定ボタン１５が接続される他、ＲＡＭ１６、ＲＯＭ１７が接続される。電源スイッチ１４がオンされると、サブＣＰＵ１１は電源制御部１８を介して電源制御を行い、メインＣＰＵ１２や後述する他の装置に電源を供給し、通常のカメラシーケンスを行える状態とする。
【００１０】
またサブＣＰＵ１１には、画像記録媒体であるメモリカード１９の装填の有無を検出する検出部２０が接続されている。メモリカード１９が所定のカードスロットに装填されると、メモリカード１９の端子がカメラ側端子と電気的に接続され、サブＣＰＵ１１はその端子の状態によりメモリカード１９の装填の有無を検知する。
【００１１】
一方、メインＣＰＵ１２には、ＣＣＤなどの撮像素子２１を駆動するための駆動部２２、撮像素子２１の出力に種々の処理を施す撮像信号処理部２３、被写体の輝度を検出する測光装置２４、撮影動作を行うためのシーケンス装置２５、フラッシュ装置２６、メモリカード１９への画像データの記録を制御するコントローラ２７、液晶モニタ１を制御する制御部２８、ＲＡＭ２９、ＲＯＭ３０などが接続される。
【００１２】
撮影レンズ３１の透過光束は、撮像素子２１にて光電変換変換され、撮像信号処理部２３による画像処理を経て画像データが生成される。画像データは、コントローラ２７を介してメモリカード１９に記録される。再生モード時には、メモリカード１９に記録された任意の画像データを読み出し、その画像データに基づく画像を液晶モニタ１に表示することができる。
【００１３】
また本実施形態のカメラは、たとえ電源スイッチ１４がオフ状態であっても、メモリカード１９の装填に伴ってそのカード１９の使用状況を液晶モニタ１に表示することができる。これによれば、例えば撮影に出かけるにあたって撮影可能駒数の確認を行いたい場合は、単にメモリカード１９をカメラに装填するだけでよく、いちいちカメラの電源スイッチ１４をオン操作する必要はない。
【００１４】
図４はメモリカード１９の使用状況の表示例を示し、ここではメモリカード１９の総容量、使用率および空き容量をグラフィック表示するとともに、撮影可能駒数を表示する。撮影可能駒数は、画質や画像サイズごとに一覧表示し、特に現在の画質設定／サイズ設定での撮影可能駒数は、強調表示する。このように、各設定における撮影可能駒数を表示することで、最適な設定を即座に把握できる。
【００１５】
因みに、従来はカメラ上面の液晶パネルにカード情報をセグメント表示しているので、単に現在のカメラ設定における撮影可能駒数しか表示できなかった。本実施形態では、画像表示用の液晶モニタ１にカード使用状況の表示するので、図４のような多彩な表示が可能となる。
【００１６】
しかしながら、装填されたメモリカード１９が必ず使用可能な状態にあるとは限らず、例えば壊れたメモリカード１９を装填して撮影に出かけた場合は、現地で撮影が行えない。また、未フォーマットの（初期化されてない）メモリカード１９や、ライトプロテクトされたメモリカード１９は、そのままでは撮影が行えない。フォーマットやプロテクト解除は現地で行えばよいが、それらの措置を行った結果、そのメモリカード１９が壊れていることが判明したということもあり得る。
【００１７】
したがって、撮影に出かける際には、事前にメモリカード１９のフォーマットを行い、ライトプロテクトを解除し、そのメモリカード１９で問題なくデータ記録が可能なことを確認してから出かける事が望ましい。そこで本実施形態では、電源スイッチ１４がオフの状態でメモリカード１９が装填されたとき、そのメモリカード１９が使用可能であるか否かを検出し、何らかの問題がある場合には、その旨を液晶モニタ１に警告として表示するようにした。
【００１８】
図５はカード警告の具体例を示している。
（１）カードアクセスエラーが検出された場合は、そのメモリカード１９が壊れている可能性があり、データを書き込むことができないため、使用不能の旨と、カードの交換を促す警告メッセージを表示する。図６は液晶モニタ１上における当該警告メッセージの表示例を示している。
（２）メモリカード１９がライトプロテクトされ、かつ未フォーマットの場合は、その旨と、プロテクト解除およびフォーマットを促す警告メッセージを表示する。
（３）メモリカード１９が未フォーマットの場合は、その旨と、フォーマットを促す警告メッセージを表示する。
【００１９】
この種の警告メッセージは、従来の上面液晶パネルに絵柄で表示するのではなく、画像表示用の液晶モニタ１に表示するので、状況および対処方法を文章による詳細なメッセージとして表示でき、操作者は警告の意味を即座に理解でき、また適切な処置をとることができる。その結果、使用不能なメモリカード１９をカメラに装填して出かけるといった不都合はなくなる。
【００２０】
次に、上述のカード警告表示を実現するための制御の一例を示す。
図７はサブＣＰＵ１１の制御を示すフローである。サブＣＰＵ１１は、電源が確保されている間は、電源スイッチ１４のオン・オフに拘わらず常に給電を受けており、電源スイッチ１４がオフでも電源スイッチ１４の状態を監視している。ステップＳ１で電源スイッチ１４がオンと判定された場合はステップＳ７に進み、オフと判定された場合は、ステップＳ２でメモリカード１９の装填の有無を検出する。ステップＳ３でメモリカード１９が非装填と判定されると、ステップＳ４でメインＣＰＵ１２への給電の有無を検出し、給電されていなければステップＳ１に戻り、給電されていれば、ステップＳ５で給電を断ってステップＳ１に戻る。
【００２１】
ステップＳ３でメモリカード装填と判定されるとステップＳ６に進み、カード情報表示が既に完了しているか否かを判定する。ここでいうカード表示とは、カード使用状況の表示（例えば、図４）、または警告表示（例えば、図６）を指す。カード表示が既に完了していればステップＳ４に進み、未完了の場合はステップＳ７に進む。カード装填直後はステップＳ６が否定され、メインＣＰＵ１２によるカード表示制御を行うべくステップＳ７に進むことになる。
【００２２】
ステップＳ７では電源制御を行い、ステップＳ８ではメインＣＰＵ１２に給電されているか否かを判定する。給電されていればそのままステップＳ１に戻り、給電されていなければステップＳ９でメインＣＰＵ１２に給電する。ステップＳ１０では、電源スイッチ１４の状態をメインＣＰＵ１２に通知し、その後、ステップＳ１に戻る。
【００２３】
図８はメインＣＰＵ１２の動作を示すフローチャートであり、メインＣＰＵ１２が給電を受けて動作可能な状態となるとこのプログラムが起動される。
ステップＳ２１ではメモリカード１９の装填の有無を判定し、非装填であれば通常のカメラ制御を行い、装填されていればステップＳ２２でメモリカード１９にアクセスする。その結果、ステップＳ２３でアクセスエラーが検出された場合は、ステップＳ２４でアクセスエラーフラグＦ１をセットし、ステップＳ２９以降の警告表示処理に進む。この処理については後述する。
【００２４】
アクセスエラーがない場合はステップＳ２５に進み、メモリカード１９がフォーマット済みであるか否かを判定する。メモリカード１９が当該カメラに適した状態にフォーマットされていればステップＳ３２に進み、そうでなければステップＳ２６でライトプロテクトの有無を判別する。ライトプロテクトされている場合は、ステップＳ２７でプロテクト／未フォーマットフラグＦ２をセットし、ライトプロテクトされていない場合は、ステップＳ２８で未フォーマットフラグＦ３をセットする。
【００２５】
ステップＳ２９では、フラグに応じた警告メッセージを選択する。例えば、図５の警告メッセージとフラグ（Ｆ１〜Ｆ３）とを対応づけたテーブルを予めＲＯＭ３０に格納しておき、現在セットされているフラグに対応する警告メッセージをテーブルから選択する。ステップＳ３０では、選択した警告メッセージを液晶モニタ１に表示する。ここで、警告表示の際は、見落としのないように液晶モニタ１の照度を最高レベルにすることが望ましい。
【００２６】
ステップＳ３１で電源スイッチ１４がオンと判定されると、通常のカメラ処理を行い、電源スイッチ１４がオフであればステップＳ３４で所定時間（例えば１〜２秒程度）が経過するのを待つ。所定時間が経過すると、ステップＳ３５でメインＣＰＵ１２への給電を断って処理を終了させる。メインＣＰＵ１２への給電遮断により液晶モニタ１への表示も終了となり、また上記警告フラグＦ１〜Ｆ３もリセットされる。すなわち、電源スイッチオフ時の警告表示は、所定時間が経過すると自動的に解除され、その後カメラは電源オフ状態となる。上記所定時間、つまり警告表示時間を撮影者が設定できるようにしてもよい。
【００２７】
一方、ステップＳ２５が否定された場合は、メモリカード１９が使用可能な状態にあると判断し、ステップＳ３２で電源スイッチ１４のオン・オフを判定する。オンであれば通常のカメラ制御を行い、オフであれば、図４のようなカード使用状況の表示を行い、ステップＳ３４に進む。
【００２８】
ここで、カード使用状況表示あるいは警告表示の最中にメモリカード１９を抜き取った場合は、サブＣＰＵ１１によってメインＣＰＵ１２への給電が断たれる（図７参照）ので、その時点で表示は終了する。
【００２９】
なお、カード使用状況の表示は図４に限定されず、適宜情報量を増減してもよい。例えば、そのメモリカードを使用して最後に撮影した日付を追加してもよいし、従来のような現在のカメラ設定における撮影可能駒数のみの表示でもよい。あるいは使用状況の表示は行わなくてもよい。また、電源制御用のサブＣＰＵをメインＣＰＵとは別に持つ構成を示したが、メインＣＰＵのみで上述の制御を行うことも可能である。
【００３０】
さらに、以上では一眼レフカメラにて説明したが、コンパクトタイプのデジタルカメラやビデオカメラ、撮影機能を有する他の機器（例えば、携帯電話機）にも本発明を適用できる。また、画像データを扱うことが可能な機器であれば、撮影機能を持たないものでもよい。また、メモリカード以外のアクセサリ（カメラであれば、交換レンズや外付け閃光装置など）が装着されたときに、それが使用可能な状態にあるか否かを判定し、使用不能のときには上述と同様に液晶モニタに警告表示を行うようにしてもよい。
【図面の簡単な説明】
【００３１】
【図１】一実施形態におけるカメラの平面図。
【図２】上記カメラの背面図。
【図３】カメラの制御系を示すブロック図。
【図４】メモリカードの使用状況の表示例を示す図。
【図５】警告の種別と警告メッセージとの対応を示す図。
【図６】警告メッセージの表示例を示す図。
【図７】サブＣＰＵによる制御の手順を示すフローチャート。
【図８】メインＣＰＵによる制御の手順を示すフローチャート。
【符号の説明】
【００３２】
１  液晶モニタ
１１  サブＣＰＵ
１２  メインＣＰＵ
１９  メモリカード
２１  撮像素子
２３  撮像信号処理部
２８  モニタ制御部
【図１】
2008118336.tif 000003
【図２】
2008118336.tif 000004
【図３】
2008118336.tif 000005
【図４】
2008118336.tif 000006
【図５】
2008118336.tif 000007
【図６】
2008118336.tif 000008
【図７】
2008118336.tif 000009
【図８】
2008118336.tif 000010